(57)【要約】【課題】  ブラジャー装着時のバストを美しく見せるのに適したブラジャーの提供。【解決手段】  カップ２，３の上端縁２ａ，３ａの形状は、傾斜角度α，βが順次大きくなる２つの傾斜直線ｌ，ｍの両端を通り、胸中央側が上向きに突出し、それに続く部分が下向きに突出する滑らかなＳ字形曲線によって形成され、このＳ字形曲線より下側のカップ２，３の下端縁２ｂ，３ｂの形状は、胸中央側に少し突出するよう湾曲させたのち、割合ゆるやかな円弧状に形成させ、脇ぐり縁２ｃ，３ｃの形状は、カップ２，３の外側に中心をもつ円弧状に形成されるようにした。【選択図】      図１
0003113858.tif 000002
【実用新案登録請求の範囲】
【請求項１】
装着時にバストを上方に押し上げるとともに、胸中央側に偏位させる構成のブラジャーにおいて、胸中央側から肩吊り掛け紐側に至るブラジャーカップ上端縁の形状は、胸中央側から順次斜め上向きの傾斜角度を大きくする２つの傾斜直線の両端を通り、上側に突出する円弧状の曲線と下側に突出する円弧状の曲線とを滑らかに接続させたＳ字状の曲線に形成され、ブラジャーカップ下端縁の形状は、先ず胸中央側に少し突出するよう湾曲させたのち、肩吊り掛け紐より外側で前記胸中央側に湾曲させた頂点より上側に至る部分を、下側に突出する割合ゆるやかな円弧状に形成させ、肩吊り掛け紐からブラジャーカップ下端縁に至る脇ぐり側の形状は、ブラジャー外側に中心を持つ円弧状に形成させた
ことを特徴とするブラジャー。
【請求項２】
前記Ｓ字状の曲線において、胸中央側に近い第１の傾斜直線は、傾斜角度が８度前後で、それに続く第２の傾斜直線は、傾斜角度が２７．５度前後である
ことを特徴とする請求項１に記載のブラジャー。
【請求項３】
前記Ｓ字状の曲線において、第１の傾斜直線の長さが１０〜１２cm程度のときに上向きの突出量が３．５〜１１mm程度、第２の傾斜直線の長さが４〜６．５cm程度のときに下向きの突出量が４〜１２mm程度であり、かつ、２つの傾斜直線の長さ合計が１５．５〜１６．０cm程度のときに、Ｓ字状の上向きと下向きの突出量の長さ合計が９．５〜１６．０mm前後であるようにした
ことを特徴とする請求項１または請求項２に記載のブラジャー。
【考案の詳細な説明】
【技術分野】
【０００１】
本考案は、装着時にバストを上方に押し上げるとともに、胸中央側に偏位させる構成のブラジャーにおいて、ブラジャー装着時に幾分変形されるバストにより適合させることができるとともに、バストをより魅力的に見せるのに役立つブラジャーに関するものである。
【背景技術】
【０００２】
従来のブラジャーにおいては、ブラジャーカップ上端縁の形状は、胸中央側から肩吊り掛け紐側にかけて上側にゆるやかに突出する円弧状の曲線によって形成され、ブラジャーカップ下端縁の形状は、下側に向けて大きく突出する円弧状の曲線によって形成されるとともに、脇ぐり側の輪郭線は、ブラジャーカップ外側に中心を持ち肩吊り掛け紐側から下側に向けてゆるやかに突出する円弧状の曲線によって形成され、また、肩吊り掛け紐は、脇ぐり側の曲線のはじまりより少し内側のブラジャーカップ上端縁にほぼ直交する方向に取り付けられていた。
【特許文献１】特許第３０００１６０号公報
【０００３】
しかしながら、従来のこのような形状のブラジャーでは、バストが上方に押し上げられた下側の輪郭線が割合ゆるやかな円弧状に変形された形状になるのに対しては、下側に向けて大きく突出されるブラジャーカップの円弧状の曲線は、形状的にマッチしなくなる問題点があった。
また、胸中央側に偏位されたバストが胸中央側に幾分湾曲するよう突出されるとともに、バスト上側の輪郭線が胸中央側に偏位されて円弧状の曲線に変形される形状になるのに対しては、上側にゆるやかに突出するブラジャーカップ上端縁の形状は、形状的にやはりマッチしなくなる問題点があった。
その上、肩吊り掛け紐は、脇ぐり側の少し手前のブラジャーカップ上端縁と直交する方向に取り付けられているだけであるから、ブラジャーカップ上端縁の上側に突出する円弧状の曲線との滑らかな連続性に欠けることになり、意匠的な効果も余り期待できなくなる不都合があった。
【考案の開示】
【考案が解決しようとする課題】
【０００４】
しかしながら、上記のような不都合や問題点に対しては、本願出願人の知るところでは、適切に対応して課題を解決したようなブラジャーは考案されていないようである。本考案は、上記事情に鑑みてなされたものであり、ブラジャー装着時にバストが上方に押し上げられてバスト下側の輪郭線が幾分フラットな形状に変形するのに適合し、胸中央側に偏位されてバストの胸中央側に向けて少し突出するよう湾曲される形状にも適合させることができるとともに、バスト上側の輪郭線の上向きの突出部が胸中央側に偏位する形状との整合性もよく、また、ブラジャーカップ上端縁の形状と肩吊り掛け紐とのつながりを円滑にし、意匠的な効果を付与することができるようにしたブラジャーの提供を目的とする。
【課題を解決するための手段】
【０００５】
上記目的を達成するために、本考案におけるブラジャーでは、胸中央側から肩吊り掛け紐側に至るブラジャーカップ上端縁の形状は、胸中央側から斜め上向きに順次傾斜角度を大きくする２つの傾斜直線の両端を通って上側に突出する円弧状の曲線と、下側に突出する円弧状の曲線とを結合させたＳ字状の曲線に形成され、ブラジャーカップ下端縁の形状は、先ず胸中央側に少し突出するよう湾曲させたのち、肩吊り掛け紐より外側で前記胸中央側に湾曲させた頂点より上側に至る部分を、下側に突出する割合ゆるやかな円弧状に形成させるとともに、肩吊り掛け紐からブラジャーカップ下端縁に至る脇ぐり側の形状を、ブラジャーカップ外側に中心を持つ円弧状に形成させたことを特徴とする。
【０００６】
また、好ましくは上記Ｓ字形の曲線において、胸中央側に近い第１の傾斜直線の傾斜角度を８度前後とし、それに続く第２の傾斜直線の傾斜角度を２７．５度前後であるようにしたことを特徴とするブラジャーである。
【０００７】
また、好ましくは上記Ｓ字形の曲線において、第１の傾斜直線の長さが１０〜１２cm程度のときに上向きの突出量を３．５〜１１mm程度とし、第２の傾斜直線の長さが４〜６．５cm程度のときに下向きの突出量を４〜１２mm程度にするとともに、２つの傾斜直線の長さ合計が１５．５〜１６．０cm程度のときに、Ｓ字状の上向きと下向きの突出量の長さ合計が９．５〜１６．０mm前後になるようにしたことを特徴とするブラジャーである。
【考案の効果】
【０００８】
本考案の形状を備えたブラジャーによれば、ブラジャーカップによって上側に押し上げられたバスト下側の部分は、ブラジャーカップ下端縁の形状を形成する下側に突出された割合ゆるやかな円弧状の部分によって無理なく保持させることができ、また、ブラジャーカップによって胸中央側に偏位されたバストの胸中央側と上側へのふくらみ部分は、胸中央側に少し突出するよう湾曲された形状部分と、傾斜角度が順次大きくなる２つの傾斜直線の上側と下側に突出するよう形成させたＳ字形の部分とにより、ブラジャー装着時に偏位されたバストを変形されたバスト形状に合わせて無理なく、美しい形状に保持させることができる。
また、２つの傾斜直線の長さ、傾斜角度、そしてそれぞれの傾斜直線に対する上側と下側への突出量を前記設定された範囲に保つことにより、バストの割合大きい人や小さい人に対しても、バストにマッチさせることができ、バストを美しく見せる効果を奏することができる。
【考案を実施するための最良の形態】
【０００９】
以下、本考案に係るブラジャーについて更に詳細に説明する。
【００１０】
図１は、本考案のブラジャーについての一実施例を示す正面図である。
【００１１】
ブラジャー１は左右のカップ２，３と、２つのカップ２，３を胸中央側で連結する中央連結片４と、それぞれのカップ２，３の上端縁に取り付けられる肩吊り掛け紐５，６と、左右のカップ２，３の外側下部に取り付けられる締め付けバンド７，８とからなる。カップ２，３は、それぞれ上端縁２ａ，３ａ、下端縁２ｂ，３ｂ、脇ぐり縁２ｃ，３ｃとにより輪郭が形成されている。
【００１２】
カップ２，３の形状は左右対称であるので、以下の説明においては、カップ２についてブラジャーの特徴を説明する。
図１において、ＩからIIに至るブラジャーカップ２の上端縁２ａの形状は、２つの傾斜直線ｌ，ｍと、それらの傾斜直線ｌ，ｍに対して上向きに突出する円弧状の曲線と、下向きに突出する円弧状の曲線とを滑らかに連結させたＳ字状の曲線によって形成される。
カップ２の下端縁２ｂの形状は、先ず胸中央側に少し突出させて突出頂点Ｎを通るよう湾曲させたのち、肩吊り掛け紐５より外側で前記胸中央側の突出頂点Ｎより上側に位置する脇ぐり側の下端Ｐに至る部分を、下側に突出する割合ゆるやかな円弧状に形成されている。
これに対し、ＱＰ部分の脇ぐり縁２ｃは、カップ２の外側に中心を持ちカップ２側にゆるやかに湾曲する円弧状に形成されている。
【００１３】
次に、Ｓ字形曲線の形状について説明する。
胸中央側に近い第１の傾斜直線ｌの傾斜角度αは８度前後で、それに続く第２の傾斜直線ｍの傾斜角度βは２７．５度前後である。第１の傾斜直線ｌの長さは１０〜１２cm程度のとき、上向きの突出量ａは３．５〜１１mm程度であり、第２の傾斜直線ｍの長さは４〜６．５cm程度のとき、下向きの突出量ｂは４〜１２mm程度である。しかも、２つの傾斜直線ｌ，ｍの長さ合計が１５．５〜１６．０cm程度のときに、Ｓ字状の上向きと下向きの突出量ａ，ｂの長さ合計は９．５〜１６．０mm前後であるようにされている。
傾斜直線ｌ，ｍの長さ、上向きと下向きの突出量ａ，ｂについての実施例を示せば次の通りである。
【００１４】
【表１】
0003113858.tif 000003
【００１５】
肩吊り掛け紐５は、カップ２の上端縁の端末において、Ｓ字形の下側に突出する円弧状の曲線と滑らかにつながる方向に取り付けられる。肩吊り掛け紐５は、従来の場合と同様に伸縮性を有する両端において、カップ２と締め付けバンド７の両方に対して着脱自在に取り付けられている。肩吊り掛け紐５の内側のカップ２の取り付け側には、同じく伸縮性を有する幅の狭いホルダーネック紐９が取り付けられている。締め付けバンド７が伸縮性を有することは、従来の場合と同様である。
【図面の簡単な説明】
【００１６】
【図１】本考案のブラジャーについての一実施例を示す正面図である。
【符号の説明】
【００１７】
１    ブラジャー
２    ブラジャーカップ
２ａ  カップ上端縁
２ｂ  カップ下端縁
２ｃ  脇ぐり縁
３    ブラジャーカップ
３ａ  カップ上端縁
３ｂ  カップ下端縁
３ｃ  脇ぐり縁
５    肩吊り掛け紐
６    肩吊り掛け紐
ｌ    第１の傾斜直線
ｍ    第２の傾斜直線
ａ    上向きの突出量
ｂ    下向きの突出量
α    第１の傾斜直線の傾斜角度
β    第２の傾斜直線の傾斜角度
【図１】
0003113858.tif 000004